(57)【要約】【課題】ロータに連動するスイッチ機構部を配備したキースイッチにおいて、前記ロータに設けた孔に配設するピンの配設位置に特徴を持たせ、該ピンに対応したキー円筒部に設ける縦溝や突片の配設位置に特徴を持たせることにより、キーの種類を増やし、キーの代替品を作製しにくくすることで、セキュリティ性を向上させるキーロックスイッチを提供することを目的とする。【解決手段】側面を切削して上部に鍔部５ｄを形成したロータ５近傍にピン４を配設することにより該ロータ鍔部５ｄで抜けを防止し、残りの前記ピン４はハウジング２の天面で抜けを防止した。これによりキー円筒部内径にも前記ピンに対応した縦溝を新たに形成することでキーの種類を増やし、代替品を作りにくくすることでセキュリティ性を高めることができる。【選択図】      図８
2007123083.tif 000002
【特許請求の範囲】
【請求項１】
上面にキー挿入溝を設けたハウジング内に複数のピンを円周上に配列したロータに連動するスイッチ機構部を配備し、円筒部の端面より高さの異なる複数の縦溝を前記ピンに対応して設け前記円筒部内径に突起を有したキーを、該突起と前記ロータに配設した溝とを嵌合することにより前記ロータを回転させ電路の開閉を行うキーロックスイッチにおいて、前記ロータの同一円周上に配列された複数の前記ピンのうち少なくとも一つを同一円周上の内側に配設するとともに前記ハウジングの天面で前記ピンの抜けを防止したことを特徴とするキーロックスイッチ。
【請求項２】
前記ロータの同一円周上に配列された複数の前記ピンのうち少なくとも一つを、側面を切削して上部に鍔部を形成した前記ロータ近傍に配設することにより該ロータ鍔部で抜けを防止し、残りの前記ピンは前記ハウジングの天面で前記ピンの抜けを防止したことを特徴とするキーロックスイッチ。
【請求項３】
前記ロータの同一円周上に配列された複数の前記ピンのうち少なくとも一つを前記キー挿入溝下方に配設し、かつ前記ハウジングの天面で該ピンの抜けを防止したことを特徴とするキーロックスイッチ。
【発明の詳細な説明】
【技術分野】
【０００１】
本発明は、ハウジング内に複数のピンを円周上に配列したロータに連動するスイッチ機構部を配備したキーロックスイッチに係り、前記ピンの配設位置に特徴を持たせることによりキー円筒部端面の縦溝の配設位置も前記ピンに対応させ、キーの種類を増やし、キーの代替品を作製しにくくすることでセキュリティ性を向上させるキーロックスイッチに関する。
【背景技術】
【０００２】
従来、図１２、図１３に示すように上面にキー挿入溝を設けたハウジング１０２内に複数のピン１０４を円周上に配列したロータ１０５に連動するスイッチ機構部を配備し、円筒部１０１ａの端面より高さの異なる複数の縦溝１０１ｂを前記ピン１０４に対応して設け前記円筒部１０１ａ内径に突起１０１ｃを有したキー１０１を、該突起１０１ｃと前記ロータ１０５に配設した溝（図示なし）とを嵌合することにより前記ロータ１０５を回転させ電路の開閉を行うキーロックスイッチにおいて、前記ロータ１０５の同一円周上に様々な高さのピン１０４を配設し、前記ハウジング１０２の天面で抜けを防止し、前記ピン１０４の高さに対応した縦溝１０１ｂを円筒部１０１ａに有したキー１０１を前記ピン１０４の上方より押圧することにより、前記ピン１０４の高さを揃え前記ロータ１０５の回転を可能としていた。
【特許文献１】なし
【発明の開示】
【発明が解決しようとする課題】
【０００３】
しかしながら、前記キーロックスイッチはロータ１０５の同一円周上に様々な高さのピン１０４を配設していただけなのでキー円筒部１０１ａ端面に縦溝１０１ｂを設けたものでなくても、単純なパイプ状のものに前記ピン１０４の高さに応じた溝を設ければ開閉することが可能であったのでセキュリティ性に問題があった。そこで本発明は、ピンの配設位置に特徴を持たせることにより該ピンに対応したキー円筒部端面の縦溝の配設位置も複雑にし、キーの種類を増やすことでキーの代替品を作製しにくくし、セキュリティ性を向上させるキーロックスイッチを提供することを目的とする。
【課題を解決するための手段】
【０００４】
本発明は上記目的を達成するため、ハウジング内に複数のピンを円周上に配列したロータに連動するスイッチ機構部を配備したキーロックスイッチに係り、少なくとも一つのピンの配設位置をロータの同一円周上の内側もしくは外側に配設することにより、キー円筒部にも前記ピンの配設位置に対応した縦溝もしく突片を新たに形成し、キーの種類を増やすことでキーの代替品を作製しにくくする。
【発明の効果】
【０００５】
（１）本発明のキーロックスイッチは少なくとも一つのピンの配設位置をロータの同一円周上の内側に配設したため、キー円筒部外径もしくは内径にも前記ピンの配設位置に対応した縦溝が必要となるのでキーの種類を増やすことができる。また、少なくとも一つのピンの配設位置をキー挿入溝下方に配設した時は、キー円筒部外径に新たに突片を形成することによりキーの種類を増やすことができる。よってキーの代替品を作製しにくくしセキュリティ性を高めることができる。
【発明を実施するための最良の形態】
【０００６】
本発明のキーロックスイッチはハウジング内に複数のピンを同一円周上に配列したロータに連動するスイッチ機構部を配備し、前記ピンの少なくとも一つの配設位置を同一円周上の内側もしくは前記ハウジングに設けたキー挿入溝下方に配設することにより、同一円周上の内側に前記ピンの少なくとも一つを配設した場合にはキー円筒部外径もしくは内径にも前記ピンに対応した縦溝を形成し、前記ハウジングに設けたキー挿入溝下方に前記ピンの少なくとも一つを配設した場合にはキー円筒部外径に突片を形成し、キーの種類を増やしかつ該キーの代替品を作製しにくくすることができるので、従来のキースイッチに比べセキュリティ性を向上させたキーロックスイッチを提供することができる。
【実施例】
【０００７】
以下、本発明の実施例について、図面を参照しながら詳細に説明する。
【０００８】
図１は本発明のキーロック装置の第１実施例を示す分解斜視図、図２は本発明のキーロック装置のキー挿入前の第１実施例を示す正面断面図、図３は本発明のキーロック装置のキー挿入前の第１実施例を示す側面断面図、図４は本発明のキーロック装置のキー挿入時の第１実施例を示す正面断面図、図５は本発明のキーロック装置のキー挿入時の第１実施例を示す側面断面図である。
【０００９】
これらの図において、キー１には下方に設けられた円筒部１ａ側面に高さの異なる縦溝１ｂがロータ５に円周上に設けられた複数のピン配設孔５ａに配設された複数のピン４の位置及び高さに対応するように設けられている。ハウジング２の略中央は貫通孔２ａとなっており上面には前記キー１の突片１ｄと対応するようにキー挿入溝２ｂが設けられている。同一円周上および少なくとも一つを該同一円の内側にピン配設孔５ａを設け、さらに該ピン配設孔５ａに前記ピン４を挿入したロータ５を前記ハウジング２の下方から挿入する。
【００１０】
ピンガイド８には前記ピン配設孔５ａと同じ位置に穴８ａが開いており、該穴８ａにコイルバネ７およびピン６をそれぞれ上方から配設する。そして、前記ロータ５下部の軸５ｂを前記ピンガイド８に挿入し、前記ピン４を上方より押圧すると該ピン４が前記コイルバネ７により弾性を持ち上下に動く構造となっている。前記ピンガイド８下面には突部（図示なし）が設けられ、さらにストッパ９が前記ロータ５の軸５ｂに挿入されるので、前記キー１を前記ハウジング２に挿入して前記ロータ５を回転させたときに前記突部が前記ストッパ９の縁部９ａに接触して前記ロータ５の過回転を防いでいる。
【００１１】
前記ロータ５下部の軸５ｂには段々に径が小さくなる３段の円が重なった転換子１０上部の凹部１０ａが嵌着される。該転換子１０の中段の円の側面には貫通孔１０ｂを設け、該貫通孔１０ｂにはコイルバネ１１が、さらに該コイルバネ１１の両端にスチールボール１２が挿入される。そして、該コイルバネ１１の弾性力により前記スチールボール１２が外へ飛び出さぬよう、下方より切換子１３が前記貫通孔１０ｂを覆うように嵌着される。該切換子１３が嵌着されることにより前記キー１を前記ハウジング２内に挿入して前記ロータ５を回転させた際に前記コイルバネ１１の伸縮と前記スチールボール１２の滑らかな回転により明確な切替感を得ることができる。さらに前記転換子１０下段の円の下面略中央に穴１０ｃを、側面には切割り１０ｄを対向して設けている。該穴１０ｃにはコイルバネ１４およびスチールボール１５が挿入されており、さらにその下方より前記切割り１０ｄに合わさる形で可動接片１６が挿入されている。
【００１２】
基体１７には内部に共通接片１７ａと固定接片１７ｂが配設されており、前記可動接片１６が前記コイルバネ１４により下方に押圧されていることにより、常に前記可動接片１６が前記共通接片１７ａ、前記固定接片１７ｂと接触している。最後に前記ハウジング２側面に設けた孔２ｄに鋲１８を打ち前記ピンガイド８が回転しないようにし、前記ロータ５と前記転換子１０が回転する構造とする。また、パネルにはハウジング２側面の螺刻部２ｃとナット３を螺合させ取り付ける。このような構造で前記キー１を前記ハウジング２内に挿入して該キー１の突起１ｃを前記ロータ５の溝５ｃに嵌合して該ロータ５および前記転換子１０を回転させることにより前記可動接片１６をも回転させて電路の開閉を行っている。
【００１３】
図６（ａ）は従来のキースイッチをハウジング上方から見た図、図６（ｂ）は従来のキーを円筒部下方から見た図であり、図７（ａ）は本発明の実施例１におけるキースイッチをハウジング上方から見た図、図７（ｂ）は本発明の実施例１におけるキーを円筒部下方から見た図である。図６（ａ）、図６（ｂ）より従来のキースイッチはピンがロータに同一円周上に配設されていたことからそれに対応するキー円筒部の縦溝も高さが異なるだけで規則的に円筒部外側面に並んでいた。しかし、本発明の実施例１におけるキースイッチ及びキーは、図７（ａ）、図７（ｂ）に示すように少なくとも一つのピンを内側にずらして配設することによりそれに対応するキー円筒部側面の縦溝の大きさも僅かに変える必要があり、キーの種類を増やし、セキュリティ性を高めることができる。
【００１４】
図８は本発明のキースイッチの第２実施例を示す側面断面図、図９（ａ）は本発明の実施例２におけるキースイッチをハウジング上方から見た図、図９（ｂ）は本発明の実施例２におけるキーを円筒部下方から見た図である。これらの図において、少なくとも一つのピンの配設位置を第１実施例に比べさらに内側にし、側面を切削して上部に鍔部５ｄを形成したロータ５近傍に配設することにより該ロータ鍔部５ｄで抜けを防止し、残りの前記ピン４は前記ハウジング２の天面で抜けを防止した。これによりキー円筒部内径にも前記ピンに対応した縦溝を新たに形成することでキーの種類を増やし、代替品を作りにくくすることでセキュリティ性を高めることができる。
【００１５】
図１０は本発明のキースイッチの第３実施例を示す側面断面図、図１１（ａ）は本発明の実施例３におけるキースイッチをハウジング上方から見た図、図１１（ｂ）は本発明の実施例３におけるキーを円筒部下方から見た図である。これらの図において、ロータ５の同一円周上に配列された複数の前記ピン４のうち少なくとも一つを前記キー挿入溝２ｂ下方に配設し、かつ前記ハウジング２の天面で該ピン４の抜けを防止した。これによりキー円筒部外径に新たな突片を形成し、キーの種類を増やし、該キーの代替品を作りにくくすることでセキュリティ性を高めることができる。
【００１６】
本発明のキーロックスイッチは上記の実施例１、実施例２、実施例３のそれぞれの特徴を組み合わせることも可能である等、本発明の趣旨に基づいて種々の変形が可能である。これらを本発明の方法の範囲から排除するものではない。
【産業上の利用可能性】
【００１７】
本発明のキーロックスイッチはハウジング内に複数のピンを同一円周上に配列したロータに連動するスイッチ機構部を配備し、前記ピンの少なくとも一つの配設位置を同一円周上の内側もしくは前記ハウジングに設けたキー挿入溝下方に配設することにより、同一円周上の内側に前記ピンの少なくとも一つを配設した場合にはキー円筒部外径もしくは内径にも前記ピンに対応した縦溝を形成し、前記ハウジングに設けたキー挿入溝下方に前記ピンの少なくとも一つを配設した場合にはキー円筒部外径に突片を形成し、キーの種類を増やしかつ該キーの代替品を作製しにくくすることができるので、セキュリティ性の向上を図ることができる。
【図面の簡単な説明】
【００１８】
【図１】本発明のキーロックスイッチの第１実施例を示す分解斜視図である。
【図２】本発明のキーロックスイッチのキー挿入前の第１実施例を示す正面断面図である。
【図３】本発明のキーロックスイッチのキー挿入前の第１実施例を示す側面断面図である。
【図４】本発明のキーロックスイッチのキー挿入時の第１実施例を示す正面断面図である。
【図５】本発明のキーロックスイッチのキー挿入時の第１実施例を示す側面断面図である。
【図６】従来のキーロックスイッチのハウジング上方およびキー円筒部下方から見た図である。
【図７】本発明の実施例１におけるキーロックスイッチのハウジング上方およびキー円筒部下方から見た図である。
【図８】本発明のキースイッチの第２実施例を示す側面断面図である。
【図９】本発明の実施例２におけるキーロックスイッチのハウジング上方およびキー円筒部下方から見た図である。
【図１０】本発明のキースイッチの第３実施例を示す側面断面図である。
【図１１】本発明の実施例３におけるキーロックスイッチのハウジング上方およびキー円筒部下方から見た図である。
【図１２】従来のキーロックスイッチのキー挿入時の正面断面図である。
【図１３】従来のキーロックスイッチのキー挿入時の側面断面図である。
【符号の説明】
【００１９】
１、１０１  キー
１ａ、１０１ａ  円筒部
１ｂ、１０１ｂ  縦溝
１ｃ、１０１ｃ  突起
１ｄ  突片
２、１０２  ハウジング
２ａ、１０ｂ、１１０ｂ  貫通孔
２ｂ  キー挿入溝
２ｃ  螺刻部
２ｄ、１０２ｄ  孔
３、１０３  ナット
４、６、１０４、１０６  ピン
５、１０５  ロータ
５ａ  ピン配設孔
５ｂ、１０５ｂ  軸
５ｃ  溝
５ｄ  鍔部
７、１１、１４、１０７、１１１、１１４  コイルバネ
８、１０８  ピンガイド
８ａ、１０ｃ  穴
９、１０９  ストッパ
９ａ  縁部
１０、１１０  転換子
１０ａ、１１０ａ  凹部
１０ｄ  切割り
１２、１５、１１２  スチールボール
１３、１１３  切換子
１６、１１６  可動接片
１７、１１７  基体
１７ａ  共通接片
１７ｂ  固定接片
１７ｃ、１１７ｃ  共通端子
１７ｄ、１１７ｄ  接触端子
１８、１１８  鋲
【図１】
2007123083.tif 000003
【図２】
2007123083.tif 000004
【図３】
2007123083.tif 000005
【図４】
2007123083.tif 000006
【図５】
2007123083.tif 000007
【図６】
2007123083.tif 000008
【図７】
2007123083.tif 000009
【図８】
2007123083.tif 000010
【図９】
2007123083.tif 000011
【図１０】
2007123083.tif 000012
【図１１】
2007123083.tif 000013
【図１２】
2007123083.tif 000014
【図１３】
2007123083.tif 000015